(57)【要約】  上方向のスペースが不要であり、取付作業が簡素化され、異音が抑制され、信頼性に優れた空気調和機の室外機。空気調和機の室外機は、ファンガードの上部係止部は、上端部が筐体の方向に屈曲され上方向に形成され、下部係止部は、下端部が筐体の方向に屈曲されて形成され、下部係止部の先端側の部分である下部係止部先端部は、先端が下方向を向くように屈曲され、前面パネルは、上部係止部が挿入され、上部係止部の左右方向への移動を規制する上部仮固定溝部と、下部係止部が挿入され、下部係止部の前方向及び下方向への移動を規制する下部仮固定穴部と、を備え、天面パネルにより上部仮固定溝部と上部係止部とが覆われている。
2018154686.tif 000002
【特許請求の範囲】
【請求項１】
前面パネル及び天面パネルを備え、前記前面パネルに開口部が形成された筐体と、
複数の縦桟及び複数の横桟が組み合わされて構成され、前記開口部を覆っているファンガードと、を備え、
前記ファンガードは、
前記縦桟のうち中央部の一箇所、又は前記筐体の左右方向に離れて位置する少なくとも２本の前記縦桟の上端部に形成された上部係止部と、
前記筐体の左右方向に離れて位置する複数の前記縦桟の下端部に形成された下部係止部と、を備え、
前記上部係止部は、
前記上端部が前記筐体の方向に屈曲され、更に、上方向に屈曲されて形成され、
前記下部係止部は、
前記下端部が前記筐体の方向に屈曲されて形成され、
前記下部係止部の先端側の部分である下部係止部先端部は、
先端が下方向を向くように屈曲され、
前記前面パネルは、
前記上部係止部が挿入され、前記上部係止部の左右方向への移動を規制する上部仮固定溝部と、
前記下部係止部が挿入され、前記下部係止部の前方向及び下方向への移動を規制する下部仮固定穴部と、を備え、
前記天面パネルにより前記上部仮固定溝部と前記上部係止部とが覆われる、
空気調和機の室外機。
【請求項２】
前記上部仮固定溝部は、
前記筐体の前方を向いて開口している、
請求項１に記載の空気調和機の室外機。
【請求項３】
前記上部仮固定溝部は、筒状に窪んだ曲面を有する、
請求項１又は２に記載の空気調和機の室外機。
【請求項４】
前記上部仮固定溝部の幅は、
前記上部係止部の幅と同じ、又は前記上部係止部の幅よりも小さい、
請求項１〜３の何れか１項に記載の空気調和機の室外機。
【請求項５】
前記上部仮固定溝部は、
前記上部仮固定溝部の前方に、突起部を有する、
請求項１〜３の何れか１項に記載の空気調和機の室外機。
【請求項６】
前記下部仮固定穴部は、
上方に向かって開口している、
請求項１〜５の何れか１項に記載の空気調和機の室外機。
【請求項７】
前記下部仮固定穴部は、
前記前面パネルの下側に位置する下側縁部、及び、前記前面パネルの上側に位置する上側縁部により形成され、
前記下側縁部は、前記上側縁部よりも前記筐体の前面側にある、
請求項１〜６の何れか１項に記載の空気調和機の室外機。
【請求項８】
前記下部係止部が形成されていない前記縦桟の前記下端部に設けられ、前記前面パネルの表面に当接する当接部を更に備え、
前記当接部と前記前面パネルの表面との当接により前記ファンガードに作用する力と、前記下部係止部先端部と前記下部仮固定穴部の前記筐体の前方側との当接により前記ファンガードに作用する力とが対向している、
請求項１〜７の何れか１項に記載の空気調和機の室外機。
【発明の詳細な説明】
【技術分野】
【０００１】
本発明は、空気調和機の室外機に関し、特に、ファンガードの取付構造に関するものである。
【背景技術】
【０００２】
従来、送風用風路の吹き出し開口部を覆うファンガードを有する空気調和機の室外機が知られている。ファンガードを設けることで、ユーザーが吹き出し開口部から回転するファンに触れないようにしている。例えば、特許文献１には、室外機において、ファンガードを筐体の両側面の溝部に、上方からスライドさせて嵌合させる構成が開示されている。この構成では、天面パネルを被せることでファンガードが固定され、ネジによる固定を不要としている。
【先行技術文献】
【特許文献】
【０００３】
【特許文献１】特開２０００−０３９１８６号公報
【発明の概要】
【発明が解決しようとする課題】
【０００４】
特許文献１の構成においては、ファンガードをファンガードの高さ分上方向へ移動させないとファンガードの取り付け、又は、取り外しができないという制約があり、室外機の上方にファンガードの高さ分の空間が必要となる。室外機をマンションのベランダに吊るしておく場合などには、ファンガードの取り付け、又は、取り外しのための作業スペースが確保できないという問題が発生する。【０００５】
また、ファンガードを筐体の溝部に沿ってスムーズにスライドさせるためには、スライド部分の前後左右方向に隙間が必要となってくる。しかし、隙間があると運転中に吹き出し風がファンガードに接触することでファンガードが筐体との隙間で振動を繰り返し、異音を発生するという問題も生じる。【０００６】
本発明は、上述のような課題を解決するためになされたものであり、ファンガードの取り付けにおいて、作業スペースを上方に確保することが不要であり、且つ、作業が簡素化されるとともに、運転中の異音が抑制され、信頼性に優れた空気調和機の室外機を提案することを目的とする。
【課題を解決するための手段】
【０００７】
本発明に係る空気調和機の室外機は、前面パネル及び天面パネルを備え、前記前面パネルに開口部が形成された筐体と、複数の縦桟及び複数の横桟が組み合わされて構成され、前記開口部を覆っているファンガードと、を備え、前記ファンガードは、前記縦桟のうち中央部の一箇所、又は前記筐体の左右方向に離れて位置する少なくとも２本の前記縦桟の上端部に形成された上部係止部と、前記筐体の左右方向に離れて位置する複数の前記縦桟の下端部に形成された下部係止部と、を備え、前記上部係止部は、前記上端部が前記筐体の方向に屈曲され、更に、上方向に屈曲されて形成され、前記下部係止部は、前記下端部が前記筐体の方向に屈曲されて形成され、前記下部係止部の先端側の部分である下部係止部先端部は、先端が下方向を向くように屈曲され、前記前面パネルは、前記上部係止部が挿入され、前記上部係止部の左右方向への移動を規制する上部仮固定溝部と、前記下部係止部が挿入され、前記下部係止部の前方向及び下方向への移動を規制する下部仮固定穴部と、を備え、前記天面パネルにより前記上部仮固定溝部と前記上部係止部とが覆われる。
【発明の効果】
【０００８】
本発明によれば、ファンガードの下部係止部を前面パネルの下部仮固定穴部に挿入し、上部係止部を上部仮固定溝部に挿入してファンガードが仮固定され、天面パネルを被着してファンガードが筐体に本固定される。そのため、ファンガードをネジで固定することも、ファンガードを上方向に移動させることも不要となり、作業スペースが抑制され、且つ、ファンガードの着脱作業性が向上する。更に、ファンガードは、下部仮固定穴部及び上部仮固定溝部により左右方向への移動が規制され、天面パネルにより前方向への移動が規制されるため、運転時の振動が抑制され、振動による異音を防ぐことも可能となる。
【図面の簡単な説明】
【０００９】
【図１】本発明の実施の形態に係る空気調和機の室外機の斜視図である。
【図２】本発明の実施の形態に係る空気調和機の室外機のファンの中心軸を含む縦断面を示す模式図である。
【図３】本発明の実施の形態に係る空気調和機の室外機のファンガードと天面パネルとを取り外した状態の分解斜視図である。
【図４】図３のＡ部の拡大図であり、前面パネルに向かって右上側の上部仮固定溝部の周辺を拡大したものである。
【図５】図３のＢ部の拡大図であり、前面パネルに向かって右下側の下部仮固定穴部の周辺を拡大したものである。
【図６】本発明の実施の形態に係る空気調和機の室外機のファンガードを示す斜視図である。
【図７】本発明の実施の形態に係る空気調和機の室外機のファンガードの下部係止部周辺の拡大図である。
【図８】図７のＣ−Ｃ断面の模式図である。
【図９】本発明の実施の形態に係る空気調和機の室外機の天面パネルが取り除かれた状態の上部係止部周辺の拡大図である。
【図１０】本発明の実施の形態に係る室外機の天面パネルが取り付けられた状態の上部係止部周辺の拡大図である。
【図１１】図９のＤ−Ｄ断面の模式図である。
【図１２】図１０のＥ−Ｅ断面の模式図である。
【図１３】本発明の実施の形態の変形例に係る空気調和機の室外機を示す模式図である。
【発明を実施するための形態】
【００１０】
実施の形態．
以下に、本発明に係る空気調和機の室外機１００の実施の形態について説明する。なお、図面の形態は一例であり、本発明を限定するものではない。また、各図において同一の符号を付したものは、同一の又はこれに相当するものであり、これは明細書の全文において共通している。更に、以下の図面では各構成部材の大きさの関係が実際のものとは異なる場合がある。
【００１１】
＜室外機１００の全体構成＞
図１は、本発明の実施の形態に係る空気調和機の室外機１００の斜視図である。図１に示すように、室外機１００は、例えば、直方体の筐体１０を有する。筐体１０は、前面側の前面パネル１と、側面側の側面パネル２と、天面側の天面パネル３と、背面側及び側面パネル２と対向する側の側面を構成する背面パネル６と、を備えている。室外機１００の前面パネル１には、風路となる開口部１ａが設けられている。開口部１ａは、前面側のファンガード５により筐体１０の外側から覆われている。天面パネル３は、４辺において下方に延びる側縁部３ａを備えた蓋形状を有し、筐体１０の天面側を覆っている。なお、室外機１００の筐体１０の構成は上記の構成のみに限られず、適宜変更することができる。前面パネル１など、室外機１００の筐体１０を構成する各パネルは、組み合わせて一体に形成されていても良い。また、各パネルは、複数の別体のパネルにより構成されていても良い。以下の説明においては、筐体１０の前面パネル１が配置されている側を「前」、筐体１０において前面パネル１に対向している背面パネル６側を「後」、筐体１０の前面パネル１に向かって左右方向を「左」「右」とする。また、筐体１０の天面パネル３側を「上」、筐体１０の天面パネル３に対向する面が位置する側を「下」とする。
【００１２】
図２は、本実施の形態に係る空気調和機の室外機１００のファン４の中心軸を含む縦断面を示す模式図である。図２に示すように、筐体１０の内部には、ファン４が配置されている。ファン４の中央部には、モータ８が取り付けられている。モータ８は、筐体１０の内部に設置された固定部材７に取り付けられている。ファン４及びモータ８の背面パネル６側には、熱交換器１５が配置されている。背面パネル６には、熱交換器１５に沿って開口する空気吸込口６ａが設けられている。ファン４がモータ８により回転駆動すると、空気吸込口６ａから外気が流入し、背面側から筐体１０の内部に導入される。そして、熱交換器１５によって冷媒との間で熱変換された空気が、前面パネル１の開口部１ａから吹き出される。
【００１３】
＜前面パネル１の構成＞
図３は、本実施の形態に係る空気調和機の室外機１００のファンガード５と天面パネル３とを取り外した状態の分解斜視図である。図３に示すように、前面パネル１には、ファンガード５を仮固定するための上部仮固定溝部１ｂが開口部１ａの上方に形成されている。同様に、開口部１ａの下方には、下部仮固定穴部１ｃが形成されている。上部仮固定溝部１ｂ及び下部仮固定穴部１ｃは、それぞれ、前面パネル１に向かって開口部１ａの左右の２箇所に、中心に対し左右対称の位置に配置されている。
【００１４】
図４は、図３のＡ部の拡大図であり、前面パネル１に向かって右上側の上部仮固定溝部１ｂの周辺を拡大したものである。なお、前面パネル１に向かって左上側の上部仮固定溝部１ｂの周辺は、図４の上部仮固定溝部１ｂの周辺の構造を左右対称にしたものと同様の構造である。図４に示すように、上部仮固定溝部１ｂは、左右の縁部１ｄ、１ｅにおいて前面パネル１の表面１ｈに滑らかに接続しており、前方を向いて開口している。そして、左右の縁部１ｄ、１ｅは、表面１ｈから背面に向かい窪んだ筒状に接続され、上部仮固定溝部１ｂを曲面の形状にしている。上部仮固定溝部１ｂは、例えば、前面パネル１を構成する板金などの部材を塑性変形させて形成されている。
【００１５】
図５は、図３のＢ部の拡大図であり、前面パネル１に向かって右下側の下部仮固定穴部１ｃの周辺を拡大したものである。なお、前面パネル１に向かって左下側の下部仮固定穴部１ｃの周辺は、図５の下部仮固定穴部１ｃの周辺の構造を左右対称にしたもの同様の構造である。図５に示すように、下部仮固定穴部１ｃは、前面パネル１の表面１ｈに形成された上下方向に長い溝１ｎが、下端部において開口して形成されている。下部仮固定穴部１ｃは、前方に突出する下側縁部１ｐと、後方に窪む上側縁部１ｑとにより構成され、下部仮固定穴部１ｃの端部において筐体１０の上方向を向いている。
【００１６】
＜ファンガード５の構成＞
図６は、本実施の形態に係る空気調和機の室外機１００のファンガード５を示す斜視図である。図６に示すように、ファンガード５は、複数の横桟５ａと複数の縦桟５ｂとを組み合わせて構成されている。横桟５ａ及び縦桟５ｂは、例えばワイヤー部材から構成されている。横桟５ａは、上下方向に所定の間隔で複数配置され、それぞれが左右方向に設けられている。縦桟５ｂは、左右方向に所定の間隔で複数配置され、それぞれが上下方向に設けられている。横桟５ａと縦桟５ｂとは、互いに直角方向に交差して設けられている。
【００１７】
縦桟５ｂは、筐体１０の左右方向に離れて２箇所に配置された第１縦桟５１ｂと、筐体１０の左右方向に離れ、且つ、第１縦桟５１ｂよりも中央寄りの２箇所に配置された第２縦桟５２ｂを含む。
【００１８】
第１縦桟５１ｂには、上端部において筐体１０の方向に屈曲され、更に、その先端部分が上方向に屈曲された上部係止部５１ｂ２が設けられている。また、第１縦桟５１ｂの下端部には、筐体１０の方向に屈曲され、更に、その先端部分である下部係止部先端部５１ｂ４が下方向に屈曲された下部係止部５１ｂ５が設けられている。
【００１９】
第２縦桟５２ｂには、上端部と下端部とに当接部５２ｂ３が設けられている。当接部５２ｂ３は、筐体１０側に屈曲され、先端が前面パネル１の表面１ｈと垂直に近い角度を向いている。
【００２０】
なお、横桟５ａ及び縦桟５ｂの具体的な数は、図示の数に限定されるものではない。また、第１縦桟５１ｂ及び第２縦桟５２ｂの位置も図示の位置に限定されるものではない。第１縦桟５１ｂは、２箇所に限定されず、筐体１０の左右方向の中央部の１箇所でも、又は３箇所以上に配置されていても良い。第２縦桟５２ｂも、２箇所に限定されず、中央の１箇所又は３箇所以上に配置されていてもよい。ただし、第１縦桟５１ｂ及び第２縦桟５２ｂともに、ファンガード５の中央に対し左右方向に均等に配置されるのが望ましい。また、ファンガード５は金属ワイヤーでなく樹脂で構成してもよい。
【００２１】
図７は、本実施の形態に係る空気調和機の室外機１００のファンガード５の下部係止部５１ｂ５周辺の拡大図である。また、図８は、図７のＣ−Ｃ断面の模式図であり、下部仮固定穴部１ｃの中央を通るように、筐体１０の前後方向に切ったときの断面を示している。図８において、点線で示す部分は、第１縦桟５１ｂよりも奥側に位置する当接部５２ｂ３を示している。
【００２２】
図７及び図８に示すように、下部係止部５１ｂ５は、前面パネル１の下部仮固定穴部１ｃに挿入され、先端側の下部係止部先端部５１ｂ４が筐体１０の内部側に位置し、前面パネル１の表面１ｈに平行になっている。下部係止部先端部５１ｂ４は、下部仮固定穴部１ｃの下側縁部１ｐよりも後方で、且つ、上側縁部１ｑよりも前方に位置している。ファンガード５による筐体１０の前方への移動は、下部係止部先端部５１ｂ４と下側縁部１ｐとの当接により規制される。このとき、下部係止部先端部５１ｂ４には、筐体１０からファンガード５に向けた力が作用する。
【００２３】
図８の点線で示すように、当接部５２ｂ３は、第２縦桟５２ｂの下端部に設けられている。当接部５２ｂ３は、前面パネル１の表面１ｈに当接し、ファンガード５の後方への移動を規制する。当接部５２ｂ３により、ファンガード５から筐体１０に向けた力が作用することとなる。当接部５２ｂ３が筐体１０に当接してファンガード５に付与される力は、下部係止部先端部５１ｂ４が筐体１０に当接してファンガード５に付与される力と対向する。
【００２４】
図９は、本実施の形態に係る空気調和機の室外機１００の天面パネル３が取り除かれた状態の上部係止部５ｂ２周辺の拡大図である。図１０は、本実施の形態に係る室外機１００の天面パネル３が取り付けられた状態の上部係止部５１ｂ２周辺の拡大図である。図９及び図１０に示すように、ファンガード５の上部係止部５１ｂ２は、前面パネル１に形成された上部仮固定溝部１ｂに埋め込まれている。そして、上部係止部５１ｂ２は、上部に被せられた天面パネル３の側縁部３ａにより覆われている。
【００２５】
図１１は、図９のＤ−Ｄ断面の模式図である。Ｄ−Ｄ断面は、筐体１０を左右方向に切った断面であり、上部仮固定溝部１ｂの中央を通る断面である。図１２は、図１０のＥ−Ｅ断面の模式図である。Ｅ−Ｅ断面は、筐体１０を前後方向に切った断面であり、上部仮固定溝部１ｂの中央を通る断面である。
【００２６】
図１１及び図１２に示すように、上部係止部５１ｂ２は、上部仮固定溝部１ｂに圧入されており、天面パネル３の側縁部３ａと、前面パネル１の表面１ｈとにより挟まれている。上部仮固定溝部１ｂは、上部係止部５１ｂ２を構成するワイヤーの直径と等しい幅に形成され、上部係止部５１ｂ２の左右方向の移動を規制する。なお、上部仮固定溝部１ｂの幅は、上部係止部５１ｂ２を保持することができる幅を適宜選択すればよい。ワイヤーの直径よりも小さい幅とすることにより、上部係止部５１ｂ２をより強固に保持できる。
【００２７】
また、上部仮固定溝部１ｂは、上部係止部５１ｂ２のワイヤーの直径と等しい深さに形成され、天面パネル３の側縁部３ａと前面パネル１の表面１ｈとの間に挟まれた上部係止部５１ｂ２の前後方向の移動を規制する。上部係止部５１ｂ２は、上部仮固定溝部１ｂにおいて開口から表出する部分が天面パネル３の側縁部３ａに押さえられ、前方向の移動が規制される。また、上部係止部５１ｂ２は、背面に向かい窪んだ形状の上部仮固定溝部１ｂにより後方向の移動が規制される。なお、上部仮固定溝部１ｂの深さは、上部係止部５１ｂ２を天面パネル３の側縁部３ａと前面パネル１の表面１ｈとの間で挟むことができる深さであればよく、ワイヤーの直径よりも小さい深さでもよい。
【００２８】
ファンガード５は、上部係止部５１ｂ２が上部仮固定溝部１ｂに圧入されて左右の移動が規制され、前面パネル１と天面パネル３とに挟まれて前後の移動が規制される。従って、ファンガード５が空気調和機の運転中の振動により移動することが防止され、異音の発生が低減される。
【００２９】
＜ファンガード５の取付手順＞
ファンガード５は、筐体１０に天面パネル３が取り付けられる前の段階で取り付けられる。
始めに、ファンガード５の上部係止部５１ｂ２を上、下部係止部５１ｂ５を下にして、ファンガード５を前面パネル１の前方に位置させる。このとき、上部係止部５１ｂ２の上端部を筐体１０の前方に倒してファンガード５を傾けておく。そして、下部係止部５１ｂ５の下部係止部先端部５１ｂ４を前面パネル１の下部に近接させ、前面パネル１に形成された下部仮固定穴部１ｃに差し込み、下部係止部５１ｂ５と下部仮固定穴部１ｃとを係合させる。
【００３０】
次に、下部係止部５１ｂ５を支点として、上部係止部５１ｂ２の上端部が前面パネル１の上部に近接する方向にファンガード５を回動させる。そして、上部係止部５１ｂ２を前面パネル１に形成された上部仮固定溝部１ｂの位置まで移動させる。このとき、下部係止部５１ｂ５が下部仮固定穴部１ｃの下側縁部１ｐと当接し、前後方向及び下方向の移動が規制されているため、上部係止部５１ｂ２が、所定の軌道を辿り、上部仮固定溝部１ｂの位置に確実に到達することができる。
【００３１】
次に、上部係止部５１ｂ２を、上部仮固定溝部１ｂの下側縁部１ｐに当接させながら前面パネル１側に押し込み、上部仮固定溝部１ｂの内部に嵌め込ませる。これにより、上部係止部５１ｂ２と、上部仮固定溝部１ｂとが係合する。上部仮固定溝部１ｂは、下側縁部１ｐが曲面１ｆであると、上部係止部５１ｂ２が曲面１ｆに沿って移動し、上部仮固定溝部１ｂへの係合が容易になるため望ましい。
【００３２】
ファンガード５の上部係止部５１ｂ２及び下部係止部５１ｂ５と、上部仮固定溝部１ｂ及び下部仮固定穴部１ｃとがそれぞれ係合し、ファンガード５が筐体１０の所定の位置に予備的に固定され、仮固定された状態となる。
【００３３】
ファンガード５は、仮固定された状態において、上部係止部５１ｂ２が上部仮固定溝部１ｂに挿入されており、前後方向及び左右方向の移動が規制されている。また、ファンガード５は、上部係止部５１ｂ２が上部仮固定溝部１ｂに圧入されている。従って、ファンガード５が筐体１０の前方に倒れることがなく、筐体１０に取り付けられた状態が維持される。そのため、作業員が保持していなくてもよくなる。
【００３４】
最後に、ファンガード５が仮固定された筐体１０の上方に天面パネル３を配置し、筐体１０の上部に天面パネル３の４辺の側縁部３ａを嵌め込み、筐体１０を天面パネル３で覆う。これにより、ファンガード５の上部係止部５１ｂ２が天面パネル３の側縁部３ａと前面パネル１の表面１ｈとの間に挟まれ、ファンガード５が筐体１０に本固定される。そして、ファンガード５の取り付けが完了する。
【００３５】
ファンガード５が天面パネル３により本固定されることで、筐体１０に大きな衝撃が加わった際にファンガード５が前方へ脱落することを抑制できる。また、ファンガード５の上部係止部５１ｂ２と下部係止部５１ｂ５とにおいて、前後左右の移動が規制されるため運転時の振動が抑制され、振動に起因する異音が低減される。また、筐体１０の上方の隙間から天面パネル３を配置し、筐体１０を覆うことでファンガード５が本固定されるため、取り付けの際の占有スペースを抑制できる。更に、ネジによる締結が不要であるため、取り付けが簡易となる。
【００３６】
なお、取り外しの際は、天面パネル３を取り除き、ファンガード５が仮固定された状態にする。そして、上部係止部５１ｂ２を上部仮固定溝部１ｂから引き出し、ファンガード５の上端部を前方に移動させる方向に回動させたあと、ファンガード５を上方に持ち上げて下部仮固定穴部１ｃから下部係止部５１ｂ５を引き抜く。これにより、ファンガード５の取り外しが完了する。
【００３７】
この場合も、ネジを解除する工具などは不要である。また、ファンガード５は、本固定されても、上部仮固定溝部１ｂから引き抜く動作を行わない限り仮固定された状態を維持できるため、作業者が保持していなくてもよい。従って、取り外しにおいても、作業性の向上を期待できる。
【００３８】
なお、上記の説明において、上部係止部５１ｂ２と、下部係止部５１ｂ５とが共に第１縦桟５１ｂに設けられている場合を説明しているが、上部係止部５１ｂ２と、下部係止部５１ｂ５とが異なる縦桟に設けられていてもよい。上部係止部５１ｂ２と、下部係止部５１ｂ５とは、それぞれ左右対称の位置に設けられていると、ファンガード５に作用する力が平衡となるため望ましい。更に、上部係止部５１ｂ２については、少なくとも中央部の一箇所の縦桟に設けられていてもよい。
【００３９】
＜変形例＞
図１３は、本実施の形態の変形例に係る空気調和機の室外機１００を示す模式図であり、実施の形態における図９のＤ−Ｄ断面の模式図に相当する。変形例に係る空気調和機の室外機１００は、前面パネル１の上部仮固定溝部１１ｂに形成された突起部１１ｂ２を備える。図１３において、Ｄ−Ｄ断面は、筐体１０を左右方向に切った断面であり、上部仮固定溝部１１ｂの中央を通る断面である。
【００４０】
図１３に示すように、変形例においては、上部仮固定溝部１１ｂが前方側に形成された突起部１１ｂ２を有する。突起部１１ｂ２は、上部仮固定溝部１１ｂの窪んだ形状の切り口に、例えば、上部仮固定溝部１１ｂの長手方向の一部、又は、切り口の稜線１１ｂ１に沿って形成されている。そして、上部仮固定溝部１１ｂの内壁面１ｂ３と突起部１１ｂ２の接線とで描いた円径が上部係止部５１ｂ２の径と等しくなっている。
【００４１】
上部仮固定溝部１１ｂに上部係止部５１ｂ２が圧入されると、上部係止部５１ｂ２が突起部１１ｂ２により保持され、左右方向及び、前方への移動が抑制される。このような突起部１１ｂ２を設けることで、上部仮固定溝部１１ｂから上部係止部５１ｂ２が離脱することを防止できる。更に、例えば、圧入するための寸法管理ができずに室外機１００が製造された場合であっても、上部係止部５１ｂ２を保持し、且つ、振動による左右方向及び前後方向の移動を規制することができる。
【００４２】
以上説明した、本実施の形態に係る空気調和機の室外機１００によれば、ファンガード５は、上部係止部５１ｂ２と、下部係止部５１ｂ５とが、前面パネル１の上部仮固定溝部１ｂと、下部仮固定穴部１ｃとに挿入されて筐体１０に仮固定される。そして、ファンガード５が仮固定された筐体１０を、天面パネル３が覆うことで、ファンガード５が本固定される。仮固定された状態において、上部係止部５１ｂ２は、上部仮固定溝部１ｂにより上下方向の移動が規制され、下部係止部５１ｂ５は、下部仮固定穴部１ｃにより上下及び前後方向の移動が規制されている。そのため、作業員によるファンガード５の保持が不要になる。更に、本固定状態において、上部係止部５１ｂ２は、天面パネル３と、前面パネル１とにより前後方向の移動が規制されている。そのため、運転時の振動を抑制し、異音を低減させることができる。また、仮固定においても、本固定においても、ネジによる締結が不要であり、取付作業を簡易に行え、ファンガード５の着脱作業性が向上する。また、筐体１０を天面パネル３で覆い本固定されるため、筐体１０の上方に確保する作業スペースが小さくてよい。また、仮固定された状態のまま本固定されることで、ファンガード５を取り外す際にも、ファンガード５を保持する必要がない。
【００４３】
また、上部仮固定溝部１ｂは、前方に向く開口であり、上部係止部５１ｂ２を押し込むことで挿入させることができる。そのため、取付が簡易な上、ネジなどの固定要の部材が不要である。
【００４４】
また、上部仮固定溝部１ｂが筒形状であるため、曲面１ｆに沿って移動した上部係止部５１ｂ２が、上部仮固定溝部１ｂに到達し係合できる。
【００４５】
また、上部仮固定溝部１ｂの幅を、上部係止部５１ｂ２の直径と同じ、又は、それよりも小さい幅とすることで、上部仮固定溝部１ｂに圧入された上部係止部５１ｂ２の左右方向の移動を規制し、保持することができる。
【００４６】
また、上部仮固定溝部１１ｂの突起部１１ｂ２により、上部仮固定溝部１１ｂから上部係止部５１ｂ２が離脱することを防止できる。更に、圧入するための寸法管理ができずに室外機１００が製造された場合であっても、上部係止部５１ｂ２を保持し、且つ、振動による左右方向及び前後方向の移動を規制することができる。
【００４７】
また、下部仮固定穴部１ｃが上方に向かい開口し、下部仮固定穴部１ｃに下部係止部５１ｂ５が挿入されているため、下部係止部５１ｂ５が移動すると下部仮固定穴部１ｃに当接し、ファンガード５の前後及び左右方向の移動が規制される。
【００４８】
また、下部仮固定穴部１ｃの上側縁部１ｑよりも前面側にある下側縁部１ｐにより、下部係止部５１ｂ５が前方に移動すると下側縁部１ｐに当接し、下部係止部５１ｂ５の前方への移動が規制される。
【００４９】
また、ファンガード５の当接部５２ｂ３と、下部係止部先端部５１ｂ４とが筐体１０に当接し、それぞれ対向する力をファンガード５に付与する。このため、ファンガード５の前方への移動が当接部５２ｂ３により規制され、後方への移動が下部係止部５１ｂ５に規制され、ファンガード５の振動による移動が低減される。
【符号の説明】
【００５０】
１  前面パネル、１ａ  開口部、１ｂ  上部仮固定溝部、１ｂ３  内壁面、１ｃ  下部仮固定穴部、１ｄ、１ｅ  縁部、１ｆ  曲面、１ｈ  表面、１ｎ  溝、１ｐ  下側縁部、１ｑ  上側縁部、２  側面パネル、３  天面パネル、３ａ  側縁部、４  ファン、５  ファンガード、５ａ  横桟、５ｂ  縦桟、６  背面パネル、６ａ  空気吸込口、７  固定部材、８  モータ、１０  筐体、１１ｂ  上部仮固定溝部、１１ｂ１  稜線、１１ｂ２  突起部、１５  熱交換器、５１ｂ  第１縦桟、５１ｂ２  上部係止部、５１ｂ４  下部係止部先端部、５１ｂ５  下部係止部、５２ｂ  第２縦桟、５２ｂ３  当接部、１００  室外機。
【図１】
2018154686.tif 000003
【図２】
2018154686.tif 000004
【図３】
2018154686.tif 000005
【図４】
2018154686.tif 000006
【図５】
2018154686.tif 000007
【図６】
2018154686.tif 000008
【図７】
2018154686.tif 000009
【図８】
2018154686.tif 000010
【図９】
2018154686.tif 000011
【図１０】
2018154686.tif 000012
【図１１】
2018154686.tif 000013
【図１２】
2018154686.tif 000014
【図１３】
2018154686.tif 000015
【手続補正書】
【提出日】令和1年6月4日(2019.6.4)
【手続補正１】
【補正対象書類名】明細書
【補正対象項目名】０００７
【補正方法】変更
【補正の内容】
【０００７】
本発明に係る空気調和機の室外機は、前面パネル及び天面パネルを備え、前記前面パネルに開口部が形成された筐体と、複数の縦桟及び複数の横桟が組み合わされて構成され、前記開口部を覆っているファンガードと、を備え、前記ファンガードは、前記縦桟のうち中央部の１箇所、又は前記筐体の左右方向に離れて位置する少なくとも２箇所の前記縦桟の上端部に形成された上部係止部と、前記筐体の左右方向に離れて位置する複数の前記縦桟の下端部に形成された下部係止部と、を備え、前記上部係止部は、前記上端部が前記筐体の方向に屈曲され、更に、上方向に屈曲されて形成され、前記下部係止部は、前記下端部が前記筐体の方向に屈曲されて形成され、前記下部係止部の先端側の部分である下部係止部先端部は、先端が下方向を向くように屈曲され、前記前面パネルは、前記上部係止部が挿入され、前記上部係止部の左右方向への移動を規制する上部仮固定溝部と、前記下部係止部が挿入され、前記下部係止部の前方向及び下方向への移動を規制する下部仮固定穴部と、を備え、前記天面パネルにより前記上部仮固定溝部と前記上部係止部とが覆われる。
【手続補正２】
【補正対象書類名】特許請求の範囲
【補正対象項目名】全文
【補正方法】変更
【補正の内容】
【特許請求の範囲】
【請求項１】
前面パネル及び天面パネルを備え、前記前面パネルに開口部が形成された筐体と、
複数の縦桟及び複数の横桟が組み合わされて構成され、前記開口部を覆っているファンガードと、を備え、
前記ファンガードは、
前記縦桟のうち中央部の１箇所、又は前記筐体の左右方向に離れて位置する少なくとも２箇所の前記縦桟の上端部に形成された上部係止部と、
前記筐体の左右方向に離れて位置する複数の前記縦桟の下端部に形成された下部係止部と、を備え、
前記上部係止部は、
前記上端部が前記筐体の方向に屈曲され、更に、上方向に屈曲されて形成され、
前記下部係止部は、
前記下端部が前記筐体の方向に屈曲されて形成され、
前記下部係止部の先端側の部分である下部係止部先端部は、
先端が下方向を向くように屈曲され、
前記前面パネルは、
前記上部係止部が挿入され、前記上部係止部の左右方向への移動を規制する上部仮固定溝部と、
前記下部係止部が挿入され、前記下部係止部の前方向及び下方向への移動を規制する下部仮固定穴部と、を備え、
前記天面パネルにより前記上部仮固定溝部と前記上部係止部とが覆われる、
空気調和機の室外機。
【請求項２】
前記上部仮固定溝部は、
前記筐体の前方を向いて開口している、
請求項１に記載の空気調和機の室外機。
【請求項３】
前記上部仮固定溝部は、筒状に窪んだ曲面を有する、
請求項１又は２に記載の空気調和機の室外機。
【請求項４】
前記上部仮固定溝部の幅は、
前記上部係止部の幅と同じ、又は前記上部係止部の幅よりも小さい、
請求項１〜３の何れか１項に記載の空気調和機の室外機。
【請求項５】
前記上部仮固定溝部は、
前記上部仮固定溝部の前方に、突起部を有する、
請求項１〜３の何れか１項に記載の空気調和機の室外機。
【請求項６】
前記下部仮固定穴部は、
上方に向かって開口している、
請求項１〜５の何れか１項に記載の空気調和機の室外機。
【請求項７】
前記下部仮固定穴部は、
前記前面パネルの下側に位置する下側縁部、及び、前記前面パネルの上側に位置する上側縁部により形成され、
前記下側縁部は、前記上側縁部よりも前記筐体の前面側にある、
請求項１〜６の何れか１項に記載の空気調和機の室外機。
【請求項８】
前記下部係止部が形成されていない前記縦桟の前記下端部に設けられ、前記前面パネルの表面に当接する当接部を更に備え、
前記当接部と前記前面パネルの表面との当接により前記ファンガードに作用する力と、前記下部係止部先端部と前記下部仮固定穴部の前記筐体の前方側との当接により前記ファンガードに作用する力とが対向している、
請求項１〜７の何れか１項に記載の空気調和機の室外機。
【国際調査報告】
2018154686.tif 000016
2018154686.tif 000017
2018154686.tif 000018
2018154686.tif 000019